(57)【要約】      （修正有）【課題】ユーザにより情報をブラウジングするのに不便な状況で情報を再生することにより、ユーザが即時に情報を取得することができる情報処理方法および装置を提供する。【解決手段】端末装置に適用される情報処理方法であって、受信したユーザからの音声照会要求を解析して、音声照会要求に対応するテキスト照会情報を取得するステップと、テキスト照会情報で検索を行って獲得されたテキストプッシュ情報を取得するステップと、テキストプッシュ情報を処理して、テキストプッシュ情報に対応するプッシュ待ち情報を取得するステップと、プッシュ待ち情報を再生するステップと、を含む。【選択図】図２
2019091429.tif 000002
【特許請求の範囲】
【請求項１】
情報処理方法であって、
受信されたユーザからの音声照会要求を解析して、前記音声照会要求に対応するテキスト照会情報を取得するステップと、
前記テキスト照会情報で検索を行って獲得されたテキストプッシュ情報を取得するステップと、
前記テキストプッシュ情報を処理して、前記テキストプッシュ情報に対応するプッシュ待ち情報を取得するステップと、
前記プッシュ待ち情報を再生するステップと、
を含むことを特徴とする情報処理方法。
【請求項２】
前記テキストプッシュ情報を処理して、前記テキストプッシュ情報に対応するプッシュ待ち情報を取得するステップは、
前記テキストプッシュ情報のワード数が所定のワード数閾値を超えたか否かを確定するステップと、
前記テキストプッシュ情報のワード数が所定のワード数閾値を超えたと確定されたことに応じて、前記テキストプッシュ情報における前記テキスト照会情報に関連する、ワード数が所定のワード数閾値を超えない情報を抽出して第１の情報とするステップと、
前記第１の情報に基づいて、前記プッシュ待ち情報を生成するステップと、
を含むことを特徴とする請求項１に記載の方法。
【請求項３】
前記テキストプッシュ情報を処理して、前記テキストプッシュ情報に対応するプッシュ待ち情報を取得するステップは、
前記テキストプッシュ情報のワード数が所定のワード数閾値を超えないと確定されたことに応じて、前記テキストプッシュ情報を第１の情報とするステップを
含むことを特徴とする請求項２に記載の方法。
【請求項４】
前記第１の情報に基づいて、前記プッシュ待ち情報を生成するステップは、
前記テキストプッシュ情報の属するウェブサイトのウェブサイト名を取得するステップと、
前記ウェブサイト名と前記第１の情報とを組み合わせて、前記プッシュ待ち情報を生成するステップと、
を含むことを特徴とする請求項２または請求項３に記載の方法。
【請求項５】
前記第１の情報に基づいて、前記プッシュ待ち情報を生成するステップは、
前記テキストプッシュ情報の属するウェブサイトのウェブサイト名を取得するステップと、
前記テキスト照会情報、前記ウェブサイト名及び前記第１の情報を組み合わせて、前記プッシュ待ち情報を生成するステップと、
を含むことを特徴とする請求項２または請求項３に記載の方法。
【請求項６】
前記第１の情報に基づいて、前記プッシュ待ち情報を生成するステップは、
前記テキストプッシュ情報の属するウェブサイトのウェブサイト名と、前記テキストプッシュ情報のサブジェクト情報とを取得するステップと、
前記サブジェクト情報、前記ウェブサイト名及び前記第１の情報を組み合わせて、前記プッシュ待ち情報を生成するステップと、
を含むことを特徴とする請求項２または請求項３に記載の方法。
【請求項７】
前記方法は、前記プッシュ待ち情報を表示するステップをさらに含み、
前記第１の情報に基づいて、前記プッシュ待ち情報を生成するステップは、
前記テキスト照会情報で検索を行って獲得された画像プッシュ情報を取得するステップと、
前記画像プッシュ情報と前記第１の情報とを組み合わせて前記プッシュ待ち情報を生成するステップと、
を含むことを特徴とする請求項２または請求項３に記載の方法。
【請求項８】
前記プッシュ待ち情報を再生するステップは、
前記ユーザから送信された音声再生速度制御コマンドを受信するステップと、
前記音声再生速度制御コマンドに対応する音声再生速度を取得するステップと、
前記音声再生速度で前記プッシュ待ち情報を再生するステップと、
を含むことを特徴とする請求項１に記載の方法。
【請求項９】
前記方法は、
前記ユーザから送信された詳細情報取得要求を受信するステップと、
前記テキストプッシュ情報を再生するステップと、
をさらに含むことを特徴とする請求項２に記載の方法。
【請求項１０】
情報処理装置であって、
受信されたユーザからの音声照会要求を解析して、前記音声照会要求に対応するテキスト照会情報を取得するように配置される解析ユニットと、
前記テキスト照会情報で検索を行って獲得されたテキストプッシュ情報を取得するように配置される取得ユニットと、
前記テキストプッシュ情報を処理して、前記テキストプッシュ情報に対応するプッシュ待ち情報を取得するように配置される処理ユニットと、
前記プッシュ待ち情報を再生するように配置される第１の再生ユニットと、
を含むことを特徴とする情報処理装置。
【請求項１１】
前記処理ユニットは、
前記テキストプッシュ情報のワード数が所定のワード数閾値を超えたか否かを確定するように配置される確定サブユニットと、
前記テキストプッシュ情報のワード数が所定のワード数閾値を超えたと確定されたことに応じて、前記テキストプッシュ情報における前記テキスト照会情報に関連する、ワード数が所定のワード数閾値を超えない情報を抽出して第１の情報とするように配置される抽出サブユニットと、
前記第１の情報に基づいて、前記プッシュ待ち情報を生成するように配置される生成サブユニットと、
を含むことを特徴とする請求項１０に記載の装置。
【請求項１２】
前記処理ユニットは、
前記テキストプッシュ情報のワード数が所定のワード数閾値を超えないと確定されたことに応じて、前記テキストプッシュ情報を第１の情報とするように配置されるサブユニットを
さらに含むことを特徴とする請求項１１に記載の装置。
【請求項１３】
前記装置は、
前記ユーザから送信された詳細情報取得要求を受信するように配置される受信ユニットと、
前記テキストプッシュ情報を再生するように配置される第２の再生ユニットと、
をさらに含むことを特徴とする請求項１１に記載の装置。
【請求項１４】
１つまたは複数のプロセッサと、
１つまたは複数のプログラムが記憶されている記憶装置と、を含み、
前記１つまたは複数のプログラムが前記１つまたは複数のプロセッサによって実行されると、前記１つまたは複数のプロセッサに請求項１〜請求項９のいずれか１項に記載の方法を実現させることを特徴とする端末装置。
【請求項１５】
コンピュータプログラムが記憶されており、前記プログラムがプロセッサにより実行されると、請求項１〜請求項９のいずれか１項に記載の方法を実現させることを特徴とするコンピュータ読み取り可能な記憶媒体。
【発明の詳細な説明】
【技術分野】
【０００１】
本発明は、コンピュータの技術分野に関し、特にインターネットの技術分野に関し、特に、情報処理方法および装置に関する。
【背景技術】
【０００２】
人工知能（Ａｒｔｉｆｉｃｉａｌ  Ｉｎｔｅｌｌｉｇｅｎｃｅ）は、英語でＡＩと略記される。これは、人間の知能をシミュレートし、伸び、拡張する理論、方法、技術および応用を研究し開発する新しい技術科学である。人工知能は、コンピュータサイエンスの一つの分岐として、知能の本質を理解し、人間の知能と類似する式で対応できる新しいインテリジェントロボットを生産しようとする。この分野の研究は、ロボット、音声認識、画像認識、自然言語処理とエキスパートシステムなどを含む。
【０００３】
人工知能の急速な発展に伴い、様々な人工知能に基づく応用が次々と登場すると同時に、人々の生活に大きな利便性をもたらす。例えば、会話型人工知能秘書は、音声認識、自然言語処理、機械学習の３つの機能を組み合わせる。ユーザは、音声、テキストまたは画像を使用して会話型人工知能秘書と１対１形式でインタラクションすることができる。会話型人工知能秘書は、対話中でユーザの様々なニーズを明確に理解し、実世界のサービスや情報の広範な索引付けに基づいて、様々な質の高いサービスをユーザに提供することができる。従来の会話型人工知能秘書は、ユーザから送信された音声照会要求を受信すると、音声照会要求などのデータを解析し、処理結果を端末装置の表示画面に表示する。
【発明の概要】
【発明が解決しようとする課題】
【０００４】
本発明の実施形態は、情報処理方法および装置を提案する。
【課題を解決するための手段】
【０００５】
第一の方面として、本発明の実施形態は、情報処理方法を提供する。上記方法は、受信されたユーザからの音声照会要求を解析して、上記音声照会要求に対応するテキスト照会情報を取得するステップと、上記テキスト照会情報で検索を行って獲得されたテキストプッシュ情報を取得するステップと、上記テキストプッシュ情報を処理して、上記テキストプッシュ情報に対応するプッシュ待ち情報を取得するステップと、上記プッシュ待ち情報を再生するステップと、を含む。
【０００６】
一部の実施形態において、上記テキストプッシュ情報を処理して、上記テキストプッシュ情報に対応するプッシュ待ち情報を取得するステップは、上記テキストプッシュ情報のワード数が所定のワード数閾値を超えたか否かを確定するステップと、上記テキストプッシュ情報のワード数が所定のワード数閾値を超えたと確定されたことに応じて、上記テキストプッシュ情報における上記テキスト照会情報に関連する、ワード数が所定のワード数閾値を超えない情報を抽出して第１の情報とするステップと、上記第１の情報に基づいて、上記プッシュ待ち情報を生成するステップと、を含む。
【０００７】
一部の実施形態において、上記テキストプッシュ情報を処理して、上記テキストプッシュ情報に対応するプッシュ待ち情報を取得するステップは、上記テキストプッシュ情報のワード数が所定のワード数閾値を超えないと確定されたことに応じて、上記テキストプッシュ情報を第１の情報とするステップを含む。
【０００８】
一部の実施形態において、上記第１の情報に基づいて、上記プッシュ待ち情報を生成するステップは、上記テキストプッシュ情報の属するウェブサイトのウェブサイト名を取得するステップと、上記ウェブサイト名と上記第１の情報とを組み合わせて、上記プッシュ待ち情報を生成するステップと、を含む。
【０００９】
一部の実施形態において、上記第１の情報に基づいて、上記プッシュ待ち情報を生成するステップは、上記テキストプッシュ情報の属するウェブサイトのウェブサイト名を取得するステップと、上記テキスト照会情報、上記ウェブサイト名及び上記第１の情報を組み合わせて、上記プッシュ待ち情報を生成するステップと、を含む。
【００１０】
一部の実施形態において、上記第１の情報に基づいて、上記プッシュ待ち情報を生成するステップは、上記テキストプッシュ情報の属するウェブサイトのウェブサイト名と、上記テキストプッシュ情報のサブジェクト情報とを取得するステップと、上記サブジェクト情報、上記ウェブサイト名及び上記第１の情報を組み合わせて、上記プッシュ待ち情報を生成するステップと、を含む。
【００１１】
一部の実施形態において、上記方法は、上記プッシュ待ち情報を表示するステップをさらに含み、上記第１の情報に基づいて、上記プッシュ待ち情報を生成するステップは、上記テキスト照会情報で検索を行って獲得された画像プッシュ情報を取得するステップと、上記画像プッシュ情報と上記第１の情報とを組み合わせて上記プッシュ待ち情報を生成するステップと、を含む。
【００１２】
一部の実施形態において、上記プッシュ待ち情報を再生するステップは、上記ユーザから送信された音声再生速度制御コマンドを受信するステップと、上記音声再生速度制御コマンドに対応する音声再生速度を取得するステップと、上記音声再生速度で上記プッシュ待ち情報を再生するステップと、を含む。
【００１３】
一部の実施形態において、上記方法は、上記ユーザから送信された詳細情報取得要求を受信するステップと、上記テキストプッシュ情報を再生するステップと、をさらに含む。
【００１４】
第二の方面として、本発明の実施形態は、情報処理装置を提供する。上記装置は、受信されたユーザからの音声照会要求を解析して、上記音声照会要求に対応するテキスト照会情報を取得するように配置される解析ユニットと、上記テキスト照会情報で検索を行って獲得されたテキストプッシュ情報を取得するように配置される取得ユニットと、上記テキストプッシュ情報を処理して、上記テキストプッシュ情報に対応するプッシュ待ち情報を取得するように配置される処理ユニットと、上記プッシュ待ち情報を再生するように配置される第１の再生ユニットと、を含む。
【００１５】
一部の実施形態において、上記処理ユニットは、上記テキストプッシュ情報のワード数が所定のワード数閾値を超えたか否かを確定するように配置される確定サブユニットと、上記テキストプッシュ情報のワード数が所定のワード数閾値を超えたと確定されたことに応じて、上記テキストプッシュ情報における上記テキスト照会情報に関連する、ワード数が所定のワード数閾値を超えない情報を抽出して第１の情報とするように配置される抽出サブユニットと、上記第１の情報に基づいて、上記プッシュ待ち情報を生成するように配置される生成サブユニットと、を含む。
【００１６】
一部の実施形態において、上記処理ユニットは、上記テキストプッシュ情報のワード数が所定のワード数閾値を超えないと確定されたことに応じて、上記テキストプッシュ情報を第１の情報とするように配置されるサブユニットをさらに含む。
【００１７】
一部の実施形態において、生成サブユニットは、テキストプッシュ情報の属するウェブサイトのウェブサイト名を取得するように配置される第１の取得モジュールと、ウェブサイト名と第１の情報とを組み合わせてプッシュ待ち情報を生成するように配置される第１の結合モジュールと、を含む。
【００１８】
一部の実施形態において、生成サブユニットは、テキストプッシュ情報の属するウェブサイトのウェブサイト名を取得するように配置される第２の取得モジュールと、テキスト照会情報、ウェブサイト名及び第１の情報を組み合わせてプッシュ待ち情報を生成するように配置される第２の結合モジュールと、を含む。
【００１９】
一部の実施形態において、生成サブユニットは、テキストプッシュ情報の属するウェブサイトのウェブサイト名とテキストプッシュ情報のサブジェクト情報とを取得するように配置される第３の取得モジュールと、サブジェクト情報、ウェブサイト名及び第１の情報を組み合わせてプッシュ待ち情報を生成するように配置される第３の結合モジュールと、を含む。
【００２０】
一部の実施形態において、上記装置は、プッシュ待ち情報を表示するように配置される表示ユニットをさらに含み、生成サブユニットは、テキスト照会情報で検索を行って獲得された画像プッシュ情報を取得するように配置される第４の取得モジュールと、画像プッシュ情報と第１の情報とを組み合わせてプッシュ待ち情報を生成するように配置される第４の結合モジュールと、を含む。
【００２１】
一部の実施形態において、第１の再生ユニットは、ユーザから送信された音声再生速度制御コマンドを受信するように配置される受信サブユニットと、音声再生速度制御コマンドに対応する音声再生速度を取得するように配置される取得サブユニットと、音声再生速度でプッシュ待ち情報を再生するように配置される再生サブユニットと、を含む。
【００２２】
一部の実施形態において、上記装置は、ユーザから送信された詳細情報取得要求を受信するように配置される受信ユニットと、テキストプッシュ情報を再生するように配置される第２の再生ユニットと、を含む。
【００２３】
第三の方面として、本発明の実施形態は、１つまたは複数のプロセッサと、１つまたは複数のプログラムが記憶されている記憶装置と、を含み、上記１つまたは複数のプログラムが上記１つまたは複数のプロセッサによって実行されると、上記１つまたは複数のプロセッサに第一の方面に記載の方法を実現させる端末装置を、提供する。
【００２４】
第三の方面として、本発明の実施形態は、コンピュータプログラムが記憶されており、上記プログラムがプロセッサにより実行されると、第一の方面に記載の方法を実現させるコンピュータ読み取り可能な記憶媒体を、提供する。
【発明の効果】
【００２５】
本発明の実施形態により提供される情報処理方法および装置は、ユーザから送信された音声照会要求を解析して、音声照会要求に対応するテキスト照会情報を取得する。そして、テキスト照会情報で検索を行って獲得されたテキストプッシュ情報を取得し、テキストプッシュ情報を処理して、上記テキストプッシュ情報に対応するプッシュ待ち情報を取得する。最後に、プッシュ待ち情報を再生する。これにより、ユーザにより情報をブラウジングするのに不便な状況で情報を再生することができ、ユーザが即時に情報を取得することができる。
【図面の簡単な説明】
【００２６】
以下の図面による非限定的な実施例についての詳細な説明を読み、参照することにより、本願の他の特徴、目的及び利点がより明らかになる。
【図１】本発明が適用される例示的なシステムアーキテクチャ図である。
【図２】本発明に係る情報処理方法の一実施形態のフローチャートである。
【図３】本発明に係る情報処理方法の他の実施形態のフローチャートである。
【図４】本発明に係る情報処理装置の一実施形態の概略構成図である。
【図５】本発明を実現するのに適する端末装置のコンピュータシステムの概略構成図である。
【発明を実施するための形態】
【００２７】
以下、図面と実施例を参照しながら、本願を詳しく説明する。ここで記載される具体的な実施例は、関連の発明を解釈するのみに用いられ、当該発明に対する限定ではないことは理解される。なお、説明の便宜上、図面には、関連の発明に関わる部分のみを示す。
【００２８】
なお、矛盾が生じない限り、本願における実施例及び実施例における特徴は互いに組み合わせることができるものとする。以下、図面を参照しながら、実施例を併せて本願を詳しく説明する。
【００２９】
図１は、本発明が適用される情報処理方法または装置の実施形態の例示的なシステムアーキテクチャ１００を示す。
【００３０】
図１に示すように、システムアーキテクチャ１００は、端末装置１０１、１０２、１０３と、ネットワーク１０４と、サーバ１０５とを備えても良い。ネットワーク１０４は、端末装置１０１、１０２、１０３とサーバ１０５の間に通信リンクの媒体を提供する。ネットワーク１０４は、各種の接続タイプ、例えば有線、無線通信リンク又は光ファイバ、ケーブルなどを含んでも良い。
【００３１】
ユーザは、端末装置１０１、１０２、１０３を使用してネットワーク１０４を介してサーバ１０５とインタラクションすることにより、メッセージなどを送受信することができる。端末装置１０１、１０２、１０３には、会話型人工知能秘書などの様々な通信クライアントアプリケーションをインストールすることができる。
【００３２】
端末装置１０１、１０２、１０３は、オーディオプレーヤーが配置されている様々な電子機器であり、スマートフォン、タブレット、ＭＰ３プレーヤー（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ）プレーヤー、ラップトップポータブルコンピュータ、デスクトップコンピュータ、ウェアラブル装置およびスマートスピーカなどを含むが、これに限定されない。
【００３３】
サーバ１０５は、検索エンジンのバックエンドサーバのような、サービスを提供する様々なサーバであってもよい。検索エンジンのバックエンドサーバは、端末装置１０１、１０２、１０３から受信されたテキスト照会情報などのデータに対して解析などの処理を行い、処理結果（例えば、テキストプッシュ情報）を端末装置１０１、１０２、１０３にフィードバックすることができる。
【００３４】
なお、本発明の一実施形態に係る情報処理方法は、一般に、端末装置１０１、１０２、１０３によって実行される。これに対応して、情報処理装置は、一般的に端末装置１０１、１０２、１０３に設置される。
【００３５】
理解すべきなのは、図１における端末装置、ネットワーク及びサーバの数は例示的なものに過ぎない。実現の必要に応じて、任意の数の端末デバイス、ネットワーク及びサーバを備えることができる。
【００３６】
さらに図２を参照すると、本発明に係る情報処理方法の一実施形態のフロー２００が示されている。当該情報処理方法は、以下のステップを含む。
【００３７】
ステップ２０１において、受信されたユーザからの音声照会要求を解析して、音声照会要求に対応するテキスト照会情報を取得する。
【００３８】
本実施形態において、情報処理方法を適用した電子機器（例えば、図１に示す端末装置１０１、１０２、１０３）は、ユーザから送信された音声照会要求を受信し、受信された音声照会要求を解析して、音声照会要求に対応するテキスト照会情報を取得することができる。ここで、上記音声照会要求は、音声照会情報を含むことができる。
【００３９】
本実施形態において、端末装置は、通常、音声アシスタント機能を有する。具体的には、端末装置は、マイクロフォンなどの音声入力モジュールが配置されている装置であり、たとえば、スマートフォン、タブレットコンピュータ、パソコン、ウェアラブルデバイスおよびインテリジェントスピーカーなどであってもよい。ユーザは、端末装置に対して音声照会情報を話すことができ、端末装置に配置されたマイクロフォン等の音声入力モジュールによりユーザの話す音声照会情報が収集されると、ユーザから送信された音声照会要求が端末装置により受信されたと考えられることができる。
【００４０】
本実施形態において、端末装置は、音声照会要求における音声照会情報に対して音声認識を行って、音声照会要求に対応するテキスト照会情報を取得することができる。ここで、端末装置は、音声認識技術（Ａｕｔｏｍａｔｉｃ  Ｓｐｅｅｃｈ  Ｒｅｃｏｇｎｉｔｉｏｎ，ＡＳＲ）を用いて音声照会情報に対して音声認識を行い、音声照会情報における語彙内容を書面形式（書面言語の形式）の語彙内容に変換することができ、当該書面形式の語彙内容がテキスト照会情報である。ここで、音声認識技術は、自動音声認識とも呼ばれ、人間の音声における語彙内容をテキストに変換する技術である。
【００４１】
ステップ２０２において、テキスト照会情報で検索を行って獲得されたテキストプッシュ情報を取得する。
【００４２】
本実施形態において、ステップ２０１で得られたテキスト照会情報に基づいて、端末装置は、テキスト照会情報を検索エンジンのバックエンドサーバ（例えば、図１に示すサーバ１０５）に送信し、検索エンジンのバックエンドサーバがテキスト照会情報を用いてインターネット上で検索して、テキスト照会情報に関連するテキストプッシュ情報を取得し、取得されたテキストプッシュ情報を端末装置に送信することができる。ここで、テキストプッシュ情報は、テキスト照会情報と同じ特徴属性を有することができる。一例として、テキスト照会情報が「象」である場合、テキストプッシュ情報は、「象」の百科事典などの「象」に関する情報であることができる。
【００４３】
なお、テキスト照会情報を用いてテキストプッシュ情報を検索する方法は従来技術であり、ここで詳細な説明を省略する。
【００４４】
ステップ２０３において、テキストプッシュ情報を処理して、テキストプッシュ情報に対応するプッシュ待ち情報を取得する。
【００４５】
本実施形態において、ステップ２０２で取得されたテキストプッシュ情報に基づいて、端末装置は、テキストプッシュ情報を処理して、テキストプッシュ情報に対応するプッシュ待ち情報を取得することができる。ここで、端末装置は、テキストプッシュ情報を直接にプッシュ待ち情報としてもよく、テキストプッシュ情報から一部の情報を抽出してプッシュ待ち情報としてもよく、テキストプッシュ情報に一部の情報を追加してプッシュ待ち情報を生成してもよい。
【００４６】
ステップ２０４において、プッシュ待ち情報を再生する。
【００４７】
本実施形態において、ステップ２０３で取得されたプッシュ待ち情報に基づいて、端末装置は、プッシュ待ち情報を再生することができる。本実施形態において、端末装置は、オーディオプレーヤーなどの音声出力モジュールが配置されている装置であり、たとえば、スマートフォン、タブレットコンピュータ、パソコン、ウェアラブルデバイスおよびインテリジェントスピーカーなどであってもよい。端末装置は、テキスト−音声変換技術を用いてプッシュ待ち情報を対応する音声情報に変換し、変換された音声情報を再生することができる。ここで、テキスト−音声変換技術とは、テキスト情報を解説する技術であり、音声合成技術に基づく音声発生技術として、コンピュータ中のテキスト情報を連続で自然な音声情報に変換することができる。
【００４８】
本実施形態の一部の選択可能な実施形態において、端末装置は、プッシュ待ち情報を表示することもできる。ここで、端末装置は、スマートフォン、タブレット、コンピュータなどの表示画面が配置されている装置であってもよい。端末装置に表示画面とオーディオプレーヤーとの両方が配置されている場合、端末装置は、ユーザの設定に応じて、その上に配置された表示画面によってプッシュ待ち情報を表示するか、またはその上に配置されたオーディオプレーヤーによってプッシュ待ち情報をプレーヤーするかを確定することができる。
【００４９】
本実施形態の一部の選択可能な実施形態において、音声再生速度を制御することができる。一般に、端末装置にはデフォルトの音声再生速度が設定され、例えば、毎秒４．７ワードに設定される。音声再生速度が制御されない場合、オーディオプレーヤーは、毎秒４．７ワードでプッシュ待ち情報を再生する。音声再生速度を制御するとき、以下の手順を参照してもよい。
【００５０】
まず、ユーザから送信された音声再生速度制御コマンドを受信する。
【００５１】
ここで、ユーザは、端末装置に設けられたマイクロフォンなどの音声入力モジュールを介して音声再生速度制御コマンドを入力することができる。音声再生速度制御コマンドは、音声再生速度に関する情報を含むことができ、具体的な音声再生速度の情報、または音声再生速度の増減を制御する情報を含むことができる。例えば、音声再生速度制御コマンドは、「毎秒４ワードの速度で再生」、「速く」、「速く話す」、「スピードを速く」、または「遅い」、「より遅く」、「スピードを遅く」などであってもよい。
【００５２】
そして、音声再生速度制御コマンドに対応する音声再生速度を取得する。
【００５３】
例えば、音声再生速度制御コマンドが「毎秒４ワードの速度で再生」である場合、音声再生速度は、毎秒４ワードであり、音声再生速度制御コマンドが「速く」、「速く話す」、「スピードを速く」などである場合、音声再生速度は、現在の再生速度（例えば毎秒４．７ワード）に一定の値だけ（例えば１）増えして毎秒５．７ワードになる。再生速度制御コマンドが「遅い」、「より遅く」、「スピードを遅く」などである場合、現在の再生速度（例えば毎秒４．７ワード）に一定の値だけ（例えば、「１」）減らして毎秒３．７ワードになる。
【００５４】
最後に、音声再生速度でプッシュ待ち情報を再生する。
【００５５】
本発明の実施例により提供される情報処理方法は、ユーザから送信された音声照会要求を解析して、音声照会要求に対応するテキスト照会情報を取得する。そして、テキスト照会情報で検索を行って獲得されたテキストプッシュ情報を取得し、テキストプッシュ情報を処理して、上記テキストプッシュ情報に対応するプッシュ待ち情報を取得する。最後に、プッシュ待ち情報を再生する。これにより、ユーザにより情報をブラウジングするのに不便な状況で情報を再生することができ、ユーザが即時に情報を取得することができる。
【００５６】
さらに図３を参照すると、本発明に係る情報処理方法の他の実施形態のフロー３００が示されている。当該情報処理方法は、以下のステップを含む。
【００５７】
ステップ３０１において、ユーザによって送られた受信された音声照会要求を解析し、音声照会要求に対応するテキスト照会情報を取得する。
【００５８】
本実施形態において、情報処理方法を適用した電子機器（例えば、図１に示す端末装置１０１、１０２、１０３）は、ユーザから送信された音声照会要求を受信し、受信された音声照会要求を解析して、音声照会要求に対応するテキスト照会情報を取得することができる。ここで、上記音声照会要求は、音声照会情報を含むことができる。
【００５９】
ステップ３０２において、テキスト照会情報で検索を行って獲得されたテキストプッシュ情報を取得する。
【００６０】
本実施形態において、ステップ３０１で得られたテキスト照会情報に基づいて、端末装置は、テキスト照会情報を検索エンジンのバックエンドサーバ（例えば、図１に示すサーバ１０５）に送信し、検索エンジンのバックエンドサーバがテキスト照会情報を用いてインターネット上で検索して、テキスト照会情報に関連するテキストプッシュ情報を取得し、取得されたテキストプッシュ情報を端末装置に送信することができる。
【００６１】
ステップ３０３において、テキストプッシュ情報のワード数が所定のワード数閾値を超えたか否かを確定する。
【００６２】
本実施形態において、ステップ３０２で取得されたテキストプッシュ情報に基づいて、端末装置は、テキストプッシュ情報のワード数を取得して、テキストプッシュ情報のワード数と、所定のワード数閾値（例えば２００）とを比較し、テキストプッシュ情報のワード数が所定のワード数閾値を超える場合、ステップ３０４’が実行され、テキストプッシュ情報のワード数が所定のワード数閾値を超えない場合、ステップ３０４’’が実行される。
【００６３】
ステップ３０４’において、テキストプッシュ情報におけるテキスト照会情報に関連する、ワード数が所定のワード数閾値を超えない情報を抽出して第１の情報とする。
【００６４】
本実施形態において、テキストプッシュ情報のワード数が所定のワード数閾値を超える場合、端末装置は、テキストプッシュ情報におけるテキスト照会情報に関連する、ワード数が所定のワード数閾値を超えない情報を抽出して第１の情報とすることができる。これにより、第１の情報に基づいて生成されたプッシュ待ち情報の長さが長すぎることが防止される。一例として、テキストプッシュ情報が複数の段落を含む場合、各段落に対して、端末装置は、まず当該段落の内容とテキスト照会情報との関連度を決定することができる。次に、関連性の順序に従って各段落を並べる。最後に、関連度が大きい側からいくつかの段落を選択し、ここで、選択された段落のワード数の合計が所定のワード数閾値よりも小さい。ここで、端末装置は、一つの段落の内容に含まれている、テキスト照会情報中のキーワードに基づいて、当該段落の内容とテキスト照会情報との関連度を決定することができる。通常、一つの段落の内容に含まれている、テキスト照会情報中のキーワードの数が多くほど、当該段落の内容とテキスト照会情報との関連度が高い。
【００６５】
ステップ３０４’’において、テキストプッシュ情報を第１の情報とする。
【００６６】
本実施形態において、テキストプッシュ情報のワード数が所定のワード数閾値を超えない場合、端末装置は、テキストプッシュ情報を第１の情報とすることができる。
【００６７】
ステップ３０５において、第１の情報に基づいてプッシュ待ち情報を生成する。
【００６８】
本実施形態において、ステップ３０４’または３０４’’で取得された第１の情報に基づいて、端末装置は、プッシュ待ち情報を生成することができる。ここで、プッシュ待ち情報は、第１の情報であってもよく、第１の情報をもとに一部の情報を付加した情報であってもよい。
【００６９】
本実施形態の一部の選択可能な実施形態において、電子機器は、まず、テキストプッシュ情報の属するウェブサイトのウェブサイト名を取得してから、ウェブサイト名と第１の情報とを組み合わせてプッシュ待ち情報を生成することができる。一例として、テキストプッシュ情報が「象」の百科事典であり、テキストプッシュ情報の属するウェブサイトのウェブサイト名が「ＸＸ百科事典」であり、第１の情報が「象」の百科事典における「ゾウ、象として通称し、現生最大の陸生哺乳類であり（長鼻目）、ゾウ科、アフリカゾウ属、アジアゾウ属の１科２属３種だけ現生している」との一段落である場合、プッシュ待ち情報は、「ＸＸ百科事典から、ゾウ、象として通称し、現生最大の陸生哺乳類であり（長鼻目）、ゾウ科、アフリカゾウ属、アジアゾウ属の１科２属３種だけ現生している」であってもよい。プッシュ待ち情報にテキストプッシュ情報の属するウェブサイトのウェブサイト名を追加して、ユーザは、ウェブサイト名に基づいて第１の情報の信頼性を判断することができる。
【００７０】
本実施形態の一部の選択可能な実施形態において、端末装置は、まずテキストプッシュ情報の属するウェブサイトのウェブサイト名を取得してから、テキスト照会情報、ウェブサイト名及び第１の情報を組み合わせてプッシュ待ち情報を生成することができる。一例として、テキスト照会情報が「象」であり、テキストプッシュ情報が「象」の百科事典であり、テキストプッシュ情報の属するウェブサイトのウェブサイト名が「ＸＸ百科事典」であり、第１の情報が「象」の百科事典における「ゾウ、象として通称し、現生最大の陸生哺乳類であり（長鼻目）、ゾウ科、アフリカゾウ属、アジアゾウ属の１科２属３種だけ現生している」との一段落である場合、プッシュ待ち情報は、「象、ＸＸ百科事典から、ゾウ、象として通称し、現生最大の陸生哺乳類であり（長鼻目）、ゾウ科、アフリカゾウ属、アジアゾウ属の１科２属３種だけ現生している」であってもよい。プッシュ待ち情報にテキスト照会情報を追加することにより、ユーザは、テキスト照会情報に基づいて、音声照会情報に対する端末装置の識別が正確であるか否かを確定して、第１の情報がユーザの必要な情報であるか否かを確定することができる。
【００７１】
本実施形態の一部の選択可能な実施形態において、端末装置は、まずテキストプッシュ情報の属するウェブサイトのウェブサイト名と、テキストプッシュ情報のサブジェクト情報を取得してから、サブジェクト情報、ウェブサイト名及び第１の情報を組み合わせてプッシュ待ち情報を生成することができる。一例として、テキスト照会情報が「象」であり、テキストプッシュ情報が「ゾウ」の百科事典であり、テキストプッシュ情報のサブジェクト情報が「ゾウ」であり、テキストプッシュ情報の属するウェブサイトのウェブサイト名が「ＸＸ百科事典」であり、第１の情報が「ゾウ」の百科事典における「哺乳綱ゾウ目（長鼻目）ゾウ科の総称である。現生最大の陸生哺乳類である。ジャングルと草原に居り、草食動物で、長寿命、最大８０年まで。」との一段落である場合、プッシュ待ち情報は、「象、ＸＸ百科事典から、哺乳綱ゾウ目（長鼻目）ゾウ科の総称である。現生最大の陸生哺乳類である。ジャングルと草原に居り、草食動物で、長寿命、最大８０年まで。」であってもよい。プッシュ待ち情報にテキストプッシュ情報のサブジェクト情報を追加することにより、ユーザは、テキストプッシュ情報のサブジェクト情報と、音声照会情報との類似度を決定し、その類似度に基づいて、第１の情報がユーザの需要する情報であるか否かを確定することができる。
【００７２】
本実施形態の一部の選択可能な実施形態において、端末装置は、プッシュ待ち情報を表示することもできる。電子装置は、まずテキスト照会情報で検索を行って獲得された画像プッシュ情報を取得してから、画像プッシュ情報と第１の情報とを組み合わせてプッシュ待ち情報を生成することができる。ここで、端末装置は、テキスト照会情報を検索エンジンのバックエンドサーバに送信し、検索エンジンのバックエンドサーバがテキスト照会情報を用いてインターネット上で検索して、テキスト照会情報に関連する画像プッシュ情報を取得し、取得された画像プッシュ情報を端末装置に送信することができる。一例として、テキストプッシュ情報が「象」の百科事典であり、画像プッシュ情報が「象」の画像であり、第１の情報が「象」の百科事典における一段落であると、表示画面上に「象」の画像と第１の情報とが同時に表示されることができる。プッシュ待ち情報に画像プッシュ情報を追加することにより、ユーザは、画像プッシュ情報に基づいて、第１の情報がユーザの需要する情報であるか否かを明確に確定する一方、プッシュ待ち情報の内容が豊かになる。
【００７３】
ステップ３０６において、プッシュ待ち情報を再生する。
【００７４】
本実施形態において、ステップ３０５で取得されたプッシュ情報に基づいて、端末装置は、プッシュ待ち情報を再生することができる。
【００７５】
本実施形態の一部の選択可能な実施形態において、端末装置は、プッシュ待ち情報が再生された後に、テキストプッシュ情報をさらに再生することができる。具体的に、プッシュ待ち情報が再生された後に、端末装置は、詳細情報を取得するか否かとの提示情報をユーザに送信することができる。ユーザから詳細情報取得要求が送信されると、端末装置は、テキストプッシュ情報を再生することができる。例えば、プッシュ待ち情報が再生された後に、「より多いコンテンツを知りたいなら、話してください」との音声情報をさらに再生し、ユーザが端末装置に対して「はい」と話したとき、テキストプッシュ情報を再生することができる。
【００７６】
本実施形態の一部の選択可能な実施形態において、端末装置は、プッシュ待ち情報を表示した後、テキストプッシュ情報をさらに表示することができる。具体的に、プッシュ待ち情報が表示された後に、端末装置は、詳細情報を取得するか否かとの提示情報をユーザに送信することができる。ユーザから詳細情報取得要求が送信されると、端末装置は、テキストプッシュ情報を表示することができる。例えば、プッシュ待ち情報が表示された後に、「より多いコンテンツを知りたいなら、話してください」とのテキスト情報をさらに表示し、ユーザが当該テキスト情報をクリックしたとき、テキストプッシュ情報を表示することができる。
【００７７】
図３から分かるように、図２の実施形態と比較して、本実施形態に係る情報処理方法の流れ３００は、テキストプッシュ情報を処理してプッシュ待ち情報を取得するステップを強調した。これにより、本実施形態で説明された形態は、適切なワードの、ユーザのニーズを満たす情報を能動的に抽出しユーザに表示して、ユーザにより必要な情報を取得する時間を省くことができる。
【００７８】
さらに図４を参照すると、各図に示される方法の実現として、本発明は、情報処理装置の実施形態を提供し、装置の実施形態は、図２に示される方法の実施形態に対応し、この装置は、具体的に様々な電子機器に適用することができる。
【００７９】
図４に示すように、本実施形態の情報処理装置４００は、解析ユニット４０１と、取得ユニット４０２と、処理ユニット４０３と、第１の再生ユニット４０４とを含んでもよい。ここで、解析ユニット４０１は、受信されたユーザからの音声照会要求を解析して、音声照会要求に対応するテキスト照会情報を取得するように配置される。取得ユニット４０２は、テキスト照会情報で検索を行って獲得されたテキストプッシュ情報を取得するように配置される。処理ユニット４０３は、テキストプッシュ情報を処理して、テキストプッシュ情報に対応するプッシュ待ち情報を取得するように配置される。第１の再生ユニット４０４は、プッシュ待ち情報を再生するように配置される。
【００８０】
本実施形態において、情報処理装置４００において、解析ユニット４０１、取得ユニット４０２、処理ユニット処理４０３及び再生ユニット４０４の具体的な処理ともたらされる技術的効果は、図２の実施形態におけるステップ２０１、ステップ２０２、ステップ２０３およびステップ２０４の関連説明を参照してもよい。ここで詳細な説明を省略する。
【００８１】
本実施形態の一部の選択可能な実施形態において、処理ユニット４０３は、テキストプッシュ情報のワード数が所定のワード数閾値を超えたか否かを確定するように配置される確定サブユニット（図示せず）と、テキストプッシュ情報のワード数が所定のワード数閾値を超えたと確定されたことに応じて、テキストプッシュ情報におけるテキスト照会情報に関連する、ワード数が所定のワード数閾値を超えない情報を抽出して第１の情報とするように配置される抽出サブユニット（図示せず）と、第１の情報に基づいて、プッシュ待ち情報を生成するように配置される生成サブユニット（図示せず）と、を含んでもよい。
【００８２】
本実施形態の一部の選択可能な実施形態において、処理ユニット４０３は、テキストプッシュ情報のワード数が所定のワード数閾値を超えないと確定されたことに応じて、テキストプッシュ情報を第１の情報とするように配置されるサブユニット（図示せず）をさらに含んでもよい。
【００８３】
本実施形態の一部の選択可能な実施形態において、生成サブユニットは、テキストプッシュ情報の属するウェブサイトのウェブサイト名を取得するように配置される第１の取得モジュール（図示せず）と、ウェブサイト名と第１の情報とを組み合わせてプッシュ待ち情報を生成するように配置される第１の結合モジュール（図示せず）と、を含んでもよい。
【００８４】
本実施形態の一部の選択可能な実施形態において、生成サブユニットは、テキストプッシュ情報の属するウェブサイトのウェブサイト名を取得するように配置される第２の取得モジュール（図示せず）と、テキスト照会情報、ウェブサイト名及び第１の情報を組み合わせてプッシュ待ち情報を生成するように配置される第２の結合モジュール（図示せず）と、を含んでもよい。
【００８５】
本実施形態の一部の選択可能な実施形態において、生成サブユニットは、テキストプッシュ情報の属するウェブサイトのウェブサイト名とテキストプッシュ情報のサブジェクト情報とを取得するように配置される第３の取得モジュール（図示せず）と、サブジェクト情報、ウェブサイト名及び第１の情報を組み合わせてプッシュ待ち情報を生成するように配置される第３の結合モジュール（図示せず）と、を含んでもよい。
【００８６】
本実施形態の一部の選択可能な実施形態において、情報処理装置４００は、プッシュ待ち情報を表示するように配置される表示ユニット（図示せず）をさらに含んでもよい。生成サブユニットは、テキスト照会情報で検索を行って獲得された画像プッシュ情報を取得するように配置される第４の取得モジュール（図示せず）と、画像プッシュ情報と第１の情報とを組み合わせてプッシュ待ち情報を生成するように配置される第４の結合モジュール（図示せず）と、を含んでもよい。
【００８７】
本実施形態の一部の選択可能な実施形態において、第１の再生ユニット４０４は、ユーザから送信された音声再生速度制御コマンドを受信するように配置される受信サブユニット（図示せず）と、音声再生速度制御コマンドに対応する音声再生速度を取得するように配置される取得サブユニット（図示せず）と、音声再生速度でプッシュ待ち情報を再生するように配置される再生サブユニット（図示せず）と、を含んでもよい。
【００８８】
本実施形態の一部の選択可能な実施形態において、情報処理装置４００は、ユーザから送信された詳細情報取得要求を受信するように配置される受信ユニット（図示せず）と、テキストプッシュ情報を再生するように配置される第２の再生ユニット（図示せず）と、を含んでもよい。
【００８９】
以下、図５を参照すると、本発明の一実施形態実現するのに適する端末装置のコンピュータシステム５００の概略構成図を示す。図５に示す端末装置は、あくまでも一例であり、本発明の本実施形態の機能及び利用範囲を限定するものではない。
【００９０】
図５に示されたように、コンピュータシステム５００は、読み出し専用メモリ（ＲＯＭ、Ｒｅａｄ  Ｏｎｌｙ  Ｍｅｍｏｒｙ）５０２に記憶されているプログラム又は記憶部５０６からランダムアクセスメモリ（ＲＡＭ、Ｒａｎｄｏｍ  Ａｃｃｅｓｓ  Ｍｅｍｏｒｙ）５０３にロードされたプログラムに基づいて様々な適当な動作および処理を実行することができる中央処理装置（ＣＰＵ、Ｃｅｎｔｒａｌ  Ｐｒｏｃｅｓｓｉｎｇ  Ｕｎｉｔ）５０１を備える。ＲＡＭ５０３には、システム５００の操作に必要な様々なプログラムおよびデータがさらに記憶されている。ＣＰＵ５０１、ＲＯＭ５０２およびＲＡＭ  ５０３は、バス５０４を介して互いに接続されている。入力／出力（Ｉ／Ｏ、Ｉｎｐｕｔ  ／  Ｏｕｔｐｕｔ）インターフェース５０５もバス５０４に接続されている。
【００９１】
Ｉ／Ｏインターフェース５０５には、キーボード、マウス等からなる入力部５０６と、陰極線管（ＣＲＴ）、液晶表示装置（ＬＣＤ）、スピーカ等からなる出力部５０７と、ハードディスク等からなる記憶部５０８と、ＬＡＮカードやモデム等のネットワークインターフェースカードからなる通信部５０９とを備えている。通信部５０９は、インターネットなどのネットワークを介した通信処理を行う。ドライブ５１０は、必要に応じてＩ／Ｏインターフェース５０５に接続される。リムーバブルメディア５１１は、例えば、マグネチックディスク、光ディスク、光磁気ディスク、半導体メモリなどのようなものであり、必要に応じてドライブ５１０に取り付けられるので、ドライブ５１０から読み出されたコンピュータプログラムが必要に応じて記憶部５０８にインストールされる。
【００９２】
特に、本発明の実施形態によれば、フローチャートを参照して上述したプロセスは、コンピュータソフトウェアプログラムで実施することができる。例えば、本発明の一実施形態は、機械可読媒体に有形に埋め込まれたコンピュータプログラムを含むコンピュータプログラム製品を含む。コンピュータプログラムは、フローチャートに示されるような方法を実行するためのプログラムコードを含む。このような実施形態において、このコンピュータプログラムは、通信部５０９を介してネットワークからダウンロードされインストールされてもよく、リムーバブルメディア５１１からインストールされてもよい。このコンピュータプログラムが中央処理装置（ＣＰＵ）５０１によって実行されると、本発明の方法によって定義される上記機能を実現する。なお、本発明のコンピュータ読取可能な媒体は、コンピュータ読取可能な信号媒体、コンピュータ読取可能な記憶媒体、或いは上記両者の任意の組合わせであっても良い。コンピュータ読取可能な記憶媒体は、例えば電気、磁気、光、電磁気、赤外線、半導体のシステム、サーバ又は部品、或いはこれらの任意の組み合わせであっても良いが、それらに限定されない。コンピュータ読取可能な記憶媒体についてのより具体的な例は、一つ又は複数の導線を含む電気的な接続、携帯可能なコンピュータ磁気ディスク、ハードディスク、ランダムアクセスメモリ（ＲＡＭ）、読取専用メモリ（ＲＯＭ）、消去可能なプログラミング読取専用メモリ（ＥＰＲＯＭ又はフラッシュ）、光ファイバ、携帯可能なコンパクト磁気ディスク読取専用メモリ（ＣＤ−ＲＯＭ）、光学記憶素子、磁気記憶素子、或いは上記任意の適当の組み合わせを含むが、それらに限定されない。本願において、コンピュータ読取可能な記憶媒体は、プログラムを含むか記憶する任意の有形の媒体であっても良い。当該プログラムは、コマンドによりシステム、サーバ又は部品の使用を実行し、或いはそれらに組合わせて使用されても良い。本願において、コンピュータ読取可能な信号媒体は、ベースバンドに伝送され或いはキャリアの一部として伝送され、コンピュータ読取可能なプログラムコードがロードされるデータ信号を含んでも良い。このような伝送されるデータ信号は、各種の形式を採用しても良く、電磁気信号、光信号又は上記任意の適当の組合わせを含むが、それらに限定されない。コンピュータ読取可能な信号媒体は、コンピュータ読取可能な記憶媒体以外の任意のコンピュータ読取可能な媒体であっても良い。当該コンピュータ読取可能な媒体は、コマンドによりシステム、サーバ又は部品の使用を実行し又はそれらと組合わせて使用されるプログラムを送信し、伝播し又は伝送することができる。コンピュータ読取可能な媒体に含まれるプログラムコードは、任意の適当の媒体で伝送されても良く、無線、電線、光ケーブル、ＲＦなど、或いは上記任意の適当の組み合わせを含むが、それらに限定されない。
【００９３】
一つ又は複数種のプログラミング言語又はそれらの組み合わせで本出願の操作を実行するためのコンピュータプログラムコードをプログラミングすることができる。上記プログラミング言語には、Ｊａｖａ(登録商標)、Ｓｍａｌｌｔａｌｋ、Ｃ＋＋のようなオブジェクト指向プログラミング言語が含まれ、更にＣ言語又は類似のプログラミング言語のような通常の手続き型プログラミング言語が含まれる。プログラムコードは、全体がユーザコンピュータに実行されても良く、一部がユーザコンピュータに実行されても良く、一つの独立なパッケージとして実行されても良く、一部がユーザコンピュータに実行され且つ一部がリモートコンピュータに実行されても良く、或いは全体がリモートコンピュータ又はサーバに実行されても良い。リモートコンピュータに関する場合に、リモートコンピュータはローカルエリアネットワーク（ＬＡＮ）又はワイドエリアネットワーク（ＷＡＮ）を含む任意の種類のネットワークによりユーザコンピュータに接続されても良く、或いは外部のコンピュータ（例えばインターネットサービスプロバイダを利用してインターネットにより接続する）に接続されても良い。
【００９４】
図面におけるフローチャート及びブロック図は、本願の各実施例によるシステム、方法及びコンピュータプログラム製品により実現可能なシステム構造、機能及び操作を示した。この点において、フローチャート又はブロック図における各ブロックは、一つのモジュール、プログラムセグメント、又はコードの一部を表すことができる。当該モジュール、プログラムセグメント、コードの一部には、一つ又は複数の所定のロジック機能を実現するための実行可能なコマンドが含まれる。注意すべきなのは、幾つかの置換としての実現において、ブロックに示される機能は図面に示される順序と異なって発生されても良い。例えば、二つの接続的に表示されるブロックは実際に基本的に併行に実行されても良く、場合によっては逆な順序で実行されても良く、関連の機能に従って確定される。注意すべきなのは、ブロック図及び／又はフローチャートにおける各ブロック、及びブロック図及び／又はフローチャートにおけるブロックの組合わせは、所定の機能又は操作を実行する専用のハードウェアによるシステムで実現されても良く、或いは専用のハードウェアとコンピュータコードの組合わせで実現されても良い。
【００９５】
本発明の実施例に説明されたユニットはソフトウェアの手段で実現されても良く、ハードウェアの手段で実現されても良い。説明されたユニットは、プロセッサに設置されても良い。例えば、解析ユニット、取得ユニット、処理ユニット、および第１の再生ユニットを含むプロセッサとして記載されても良い。なお、これらユニットの名称は、ある場合に当該ユニットの自身に対する限定とされない。例えば、解析ユニットを「ユーザから送信された音声照会要求を解析して、音声照会要求に対応するテキスト照会情報を取得するユニット」と記載されても良い。
【００９６】
他の局面として、本発明は更にコンピュータ読取可能な媒体を提供した。当該コンピュータ読取可能な媒体は、上記実施形態に説明された端末装置に含まれたものであっても良く、当該端末装置に実装されずに別途に存在するものであっても良い。上記コンピュータ読取可能な媒体に一つ又は複数のプログラムがロードされる。上記一つ又は複数のプログラムが当該装置により実行されると、当該装置は、ユーザから送信された音声照会要求を解析して、音声照会要求に対応するテキスト照会情報を取得し、テキスト照会情報で検索を行って獲得されたテキストプッシュ情報を取得し、テキストプッシュ情報を処理して、上記テキストプッシュ情報に対応するプッシュ待ち情報を取得し、プッシュ待ち情報を再生する。
【００９７】
以上の記載は、本願の好ましい実施例、及び使われている技術的原理の説明に過ぎない。当業者は、本願に係る保護範囲が、上記の技術特徴による特定お組合せからなる技術方案に限定されるものではなく、本発明の趣旨を逸脱しない範囲で、上記技術特徴又は均等の特徴の任意の組合せからなる他の技術方案も含まれることを理解している。例えば、上記特徴と、本願に開示された類似の機能を持っている技術特徴（これらに限定されていない）とを互いに置き換えてなる技術方案も含まれる。
【図１】
2019091429.tif 000003
【図２】
2019091429.tif 000004
【図３】
2019091429.tif 000005
【図４】
2019091429.tif 000006
【図５】
2019091429.tif 000007
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
情報処理方法であって、
受信されたユーザからの音声照会要求を解析して、前記音声照会要求に対応するテキスト照会情報を取得するステップと、
前記テキスト照会情報で検索を行って獲得されたテキストプッシュ情報を取得するステップと、
前記テキストプッシュ情報を処理して、前記テキストプッシュ情報に対応するプッシュ待ち情報を取得するステップと、
前記プッシュ待ち情報を再生するステップと、
を含むことを特徴とする情報処理方法。
【請求項２】
前記テキストプッシュ情報を処理して、前記テキストプッシュ情報に対応するプッシュ待ち情報を取得するステップは、
前記テキストプッシュ情報のワード数が所定のワード数閾値を超えたか否かを確定するステップと、
前記テキストプッシュ情報のワード数が所定のワード数閾値を超えたと確定されたことに応じて、前記テキストプッシュ情報における前記テキスト照会情報に関連する、ワード数が所定のワード数閾値を超えない情報を抽出して第１の情報とするステップと、
前記第１の情報に基づいて、前記プッシュ待ち情報を生成するステップと、
を含むことを特徴とする請求項１に記載の方法。
【請求項３】
前記テキストプッシュ情報を処理して、前記テキストプッシュ情報に対応するプッシュ待ち情報を取得するステップは、
前記テキストプッシュ情報のワード数が所定のワード数閾値を超えないと確定されたことに応じて、前記テキストプッシュ情報を第１の情報とするステップを
含むことを特徴とする請求項２に記載の方法。
【請求項４】
前記第１の情報に基づいて、前記プッシュ待ち情報を生成するステップは、
前記テキストプッシュ情報の属するウェブサイトのウェブサイト名を取得するステップと、
前記ウェブサイト名と前記第１の情報とを組み合わせて、前記プッシュ待ち情報を生成するステップと、
を含むことを特徴とする請求項２または請求項３に記載の方法。
【請求項５】
前記第１の情報に基づいて、前記プッシュ待ち情報を生成するステップは、
前記テキストプッシュ情報の属するウェブサイトのウェブサイト名を取得するステップと、
前記テキスト照会情報、前記ウェブサイト名及び前記第１の情報を組み合わせて、前記プッシュ待ち情報を生成するステップと、
を含むことを特徴とする請求項２または請求項３に記載の方法。
【請求項６】
前記第１の情報に基づいて、前記プッシュ待ち情報を生成するステップは、
前記テキストプッシュ情報の属するウェブサイトのウェブサイト名と、前記テキストプッシュ情報のサブジェクト情報とを取得するステップと、
前記サブジェクト情報、前記ウェブサイト名及び前記第１の情報を組み合わせて、前記プッシュ待ち情報を生成するステップと、
を含むことを特徴とする請求項２または請求項３に記載の方法。
【請求項７】
前記方法は、前記プッシュ待ち情報を表示するステップをさらに含み、
前記第１の情報に基づいて、前記プッシュ待ち情報を生成するステップは、
前記テキスト照会情報で検索を行って獲得された画像プッシュ情報を取得するステップと、
前記画像プッシュ情報と前記第１の情報とを組み合わせて前記プッシュ待ち情報を生成するステップと、
を含むことを特徴とする請求項２または請求項３に記載の方法。
【請求項８】
前記プッシュ待ち情報を再生するステップは、
前記ユーザから送信された音声再生速度制御コマンドを受信するステップと、
前記音声再生速度制御コマンドに対応する音声再生速度を取得するステップと、
前記音声再生速度で前記プッシュ待ち情報を再生するステップと、
を含むことを特徴とする請求項１に記載の方法。
【請求項９】
前記方法は、
前記ユーザから送信された詳細情報取得要求を受信するステップと、
前記テキストプッシュ情報を再生するステップと、
をさらに含むことを特徴とする請求項２に記載の方法。
【請求項１０】
情報処理装置であって、
受信されたユーザからの音声照会要求を解析して、前記音声照会要求に対応するテキスト照会情報を取得するように配置される解析ユニットと、
前記テキスト照会情報で検索を行って獲得されたテキストプッシュ情報を取得するように配置される取得ユニットと、
前記テキストプッシュ情報を処理して、前記テキストプッシュ情報に対応するプッシュ待ち情報を取得するように配置される処理ユニットと、
前記プッシュ待ち情報を再生するように配置される第１の再生ユニットと、
を含むことを特徴とする情報処理装置。
【請求項１１】
前記処理ユニットは、
前記テキストプッシュ情報のワード数が所定のワード数閾値を超えたか否かを確定するように配置される確定サブユニットと、
前記テキストプッシュ情報のワード数が所定のワード数閾値を超えたと確定されたことに応じて、前記テキストプッシュ情報における前記テキスト照会情報に関連する、ワード数が所定のワード数閾値を超えない情報を抽出して第１の情報とするように配置される抽出サブユニットと、
前記第１の情報に基づいて、前記プッシュ待ち情報を生成するように配置される生成サブユニットと、
を含むことを特徴とする請求項１０に記載の装置。
【請求項１２】
前記処理ユニットは、
前記テキストプッシュ情報のワード数が所定のワード数閾値を超えないと確定されたことに応じて、前記テキストプッシュ情報を第１の情報とするように配置されるサブユニットを
さらに含むことを特徴とする請求項１１に記載の装置。
【請求項１３】
前記装置は、
前記ユーザから送信された詳細情報取得要求を受信するように配置される受信ユニットと、
前記テキストプッシュ情報を再生するように配置される第２の再生ユニットと、
をさらに含むことを特徴とする請求項１１に記載の装置。
【請求項１４】
１つまたは複数のプロセッサと、
１つまたは複数のプログラムが記憶されている記憶装置と、を含み、
前記１つまたは複数のプログラムが前記１つまたは複数のプロセッサによって実行されると、前記１つまたは複数のプロセッサに請求項１〜請求項９のいずれか１項に記載の方法を実現させることを特徴とする端末装置。
【請求項１５】
コンピュータプログラムが記憶されており、前記プログラムがプロセッサにより実行されると、請求項１〜請求項９のいずれか１項に記載の方法を実現させることを特徴とするコンピュータ読み取り可能な記憶媒体。
【請求項１６】
プロセッサにより実行されると、請求項１〜請求項９のいずれか一項に記載の方法を実現させるコンピュータプログラム。
【外国語明細書】
2019091429000001.pdf